(57)【要約】【課題】  変倍時における第１レンズ群と第２レンズ群との間の空気間隔の変化を小さくしつつ、諸収差が良好に補正された、Ｆナンバーの小さい変倍光学系を提供する。【解決手段】  本発明は、物体側より順に、正の屈折力を有する第１レンズ群Ｇ１、負の屈折力を有する第２レンズ群Ｇ２、正の屈折力を有する第３レンズ群Ｇ３、負の屈折力を有する第４レンズ群Ｇ４、正の屈折力を有する第５レンズ群Ｇ５を有し、広角端から望遠端への変倍の際に、前記第１レンズ群Ｇ１と前記第２レンズ群Ｇ２の間の空気間隔が増大し、前記第２レンズ群Ｇ２と前記第３レンズ群Ｇ３の間の空気間隔が縮小し、前記第３レンズ群Ｇ３と前記第４レンズ群Ｇ４の間の空気間隔が一定もしくは変化し、前記第４レンズ群Ｇ４と前記第５レンズ群Ｇ５の間の空気間隔が変化し、所定の条件式を満足することを特徴とする変倍光学系とした。【選択図】図１
2017156719.tif 000002
【特許請求の範囲】
【請求項１】
物体側より順に、正の屈折力を有する第１レンズ群Ｇ１、負の屈折力を有する第２レンズ群Ｇ２、正の屈折力を有する第３レンズ群Ｇ３、負の屈折力を有する第４レンズ群Ｇ４、正の屈折力を有する第５レンズ群Ｇ５を有し、
広角端から望遠端への変倍の際に、前記第１レンズ群Ｇ１と前記第２レンズ群Ｇ２の間の空気間隔が増大し、前記第２レンズ群Ｇ２と前記第３レンズ群Ｇ３の間の空気間隔が縮小し、前記第３レンズ群Ｇ３と前記第４レンズ群Ｇ４の間の空気間隔が一定もしくは変化し、前記第４レンズ群Ｇ４と前記第５レンズ群Ｇ５の間の空気間隔が変化し、
以下の条件式を満足することを特徴とする変倍光学系。
（１）（Ｄ１２ｔ／ｆｔ）×ＦＮＯｔ  ＜  １．４５
（２）１．７２  ＜  ｆｔ／ｆ３  ＜  ２．９８
（３）０．５６  ＜  ｆｔ／ｆ１  ＜  ０．９１
Ｄ１２ｔ：望遠端での無限遠合焦状態における前記第１レンズ群Ｇ１の最も像側のレンズ面と前記第２レンズ群Ｇ２の最も物体側のレンズ面との空気間隔
ＦＮＯｔ：望遠端での無限遠合焦状態における開口絞り開放状態でのＦナンバー
ｆｔ：望遠端での無限遠合焦状態におけるレンズ全系の焦点距離
ｆ３：前記第３レンズ群Ｇ３の焦点距離
ｆ１：前記第１レンズ群Ｇ１の焦点距離
【請求項２】
前記第４レンズ群Ｇ４の全体もしくは一部を光軸に対して垂直方向の成分を持つ方向に移動させることによって手振れ補正を行うことを特徴とする請求項１に記載の変倍光学系。
【請求項３】
以下の条件式を満足することを特徴とする請求項１または２に記載の変倍光学系。
（４）３．００  ＜  ｜ｆｔ／ｆ２｜  ＜  ６．００
ｆ２：前記第２レンズ群Ｇ２の焦点距離
【請求項４】
前記第２レンズ群Ｇ２は、負の屈折力を有するレンズＬＮと、その像側に正の屈折力を有するレンズＬＰ１とを有し、以下の条件式を満足することを特徴とする請求項１ないし３のいずれかに記載の変倍光学系。
（５）５．００  ＜  ｖｄＮ−ｖｄＰ１  ＜  ３０．００
ｖｄＮ：前記第２レンズ群Ｇ２に含まれる前記負の屈折力を有するレンズＬＮのアッベ数
ｖｄＰ１：前記第２レンズ群Ｇ２に含まれる前記正の屈折力を有するレンズＬＰ１のアッベ数
【請求項５】
前記第２レンズ群Ｇ２は、さらに正の屈折力を有するレンズＬＰ２を有し、
以下の条件式を満足することを特徴とする請求項４に記載の変倍光学系。
（６）０．００  ＜  ｖｄＰ１−ｖｄＰ２  ＜  ２５．００
ｖｄＰ２：前記第２レンズ群Ｇ２に含まれる前記正の屈折力を有するレンズＬＰ２のアッベ数
【発明の詳細な説明】
【技術分野】
【０００１】
本発明は変倍光学系に関するものであり、例えばデジタルカメラ、ビデオカメラや銀塩カメラ等に用いられる変倍光学系に関するものである。
【背景技術】
【０００２】
近年、デジタルカメラ等に搭載される撮像素子の高画素化に伴い、これらに適応するデジタルカメラ等に用いられる光学系のレンズ設計において諸収差を厳しく補正することが求められるようになってきている。
【０００３】
また、撮影画像において、ピントを合わせた部分以外のボケの効果を活かした撮影画像への要求があり、こうした撮影画像を得るためにはＦナンバーの小さな光学系を用いて撮影をする必要がある。
【０００４】
これらの要求を同時に満たしながら、諸収差を厳しく補正したＦナンバーの小さい光学系をレンズ設計しようとすると、その光学系は大型化してしまう傾向がある。
【０００５】
特許文献１には、Ｆナンバーが２．８程度で大口径であり、手振れ補正機能を有しながら比較的小型な変倍光学系が開示されている。
【０００６】
また、特許文献２にも、Ｆナンバーが２．８程度で大口径であり、手振れ補正機能を有しながら比較的小型な変倍光学系が開示されている。
【先行技術文献】
【特許文献】
【０００７】
【特許文献１】特開２００７−２１９３１５号公報
【特許文献２】特開２０１２−１２３１５６号公報
【発明の概要】
【発明が解決しようとする課題】
【０００８】
しかしながら、特許文献１に開示された変倍光学系は、手振れ補正機能を有するため光軸に対して垂直方向の成分を持つ方向に移動させるレンズ群において入射する光線におけるマージナル光線と光軸との距離が大きい。そのため手ぶれ補正ユニットの大型化を招いてしまい光学系全体の小型化を実現することが難しい。
【０００９】
また、特許文献２に開示された変倍光学系は、変倍時における第１レンズ群と第２レンズ群との間の空気間隔の変化が大きいため、この光学系を備えたレンズ鏡筒の機構の複雑化を招いてしまう。
【００１０】
レンズ鏡筒において、変倍光学系を変倍させるための機構が複雑になる場合、この変倍機構を精度よく支持するために大型の機構が必要となってしまう。レンズ鏡筒全体の小型化を目指すならば、変倍機構は単純な機構とすることが望ましく、そのためには変倍時における第１レンズ群と第２レンズ群との間の空気間隔の変化を小さくする必要がある。
【００１１】
また、特に、手振れ補正機能を有する光学系においては、光軸に対して垂直方向の成分を持つ方向に移動させる光学素子の重量や外径が大きくなると、手振れ補正時の制御が困難となったり、手振れ補正機構が大型化することによりレンズ鏡筒の外径が大型化してしまう。
【００１２】
そこで、手振れ補正機能を有する光学系全体の小型化を目指すためには、光軸に対して垂直方向の成分を持つ方向に移動させる光学素子に入射するマージナル光線と光軸との距離を小さくして、この光学素子の外径を小さくするようなレンズ設計をする必要がある。
【００１３】
この場合、変倍領域に広角域を含むような変倍光学系においては、変倍光学系における物体側での最外角光線と光軸との距離が大きくなることにより第１レンズ群の重量や外径が大きくなるため、第１レンズ群は手振れ補正のための光学素子とするには適さない。
【００１４】
さらに、変倍光学系の変倍時において第１レンズ群と第２レンズ群との間の空気間隔の変化を小さくする場合、望遠端状態において第２レンズ群以降に配置された光学素子の外径が大きくなってしまうことで光学系全体が大型化してしまい、さらに、これに伴って第２レンズ群以降の光学素子は手ぶれ補正のための光学素子として適さなくなってしまう。
【００１５】
本発明の目的は、変倍光学系を構成する各レンズ群の屈折力を適切な範囲とすることで、変倍時における第１レンズ群と第２レンズ群との間の空気間隔の変化を小さくしつつ、第２レンズ群以降に配置された光学素子に入射するマージナル光線と光軸との距離を小さく抑え、諸収差が良好に補正された、Ｆナンバーの小さい変倍光学系を提供することにある。
【課題を解決するための手段】
【００１６】
上記の課題を解決するために、本発明の変倍光学系は、物体側より順に、正の屈折力を有する第１レンズ群Ｇ１、負の屈折力を有する第２レンズ群Ｇ２、正の屈折力を有する第３レンズ群Ｇ３、負の屈折力を有する第４レンズ群Ｇ４、正の屈折力を有する第５レンズ群Ｇ５を有し、広角端から望遠端への変倍の際に、前記第１レンズ群Ｇ１と前記第２レンズ群Ｇ２の間の空気間隔が増大し、前記第２レンズ群Ｇ２と前記第３レンズ群Ｇ３の間の空気間隔が縮小し、前記第３レンズ群Ｇ３と前記第４レンズ群Ｇ４の間の空気間隔が一定もしくは変化し、前記第４レンズ群Ｇ４と前記第５レンズ群Ｇ５の間の空気間隔が変化し、所定の条件式を満足することを特徴とした。
【発明の効果】
【００１７】
本発明によれば、諸収差が良好に補正された、Ｆナンバーの小さい変倍光学系の実現が可能となる。
【図面の簡単な説明】
【００１８】
【図１】本発明の実施例１の変倍光学系の広角端での無限遠合焦状態におけるレンズ構成図である。
【図２】本発明の実施例１の無限遠合焦状態における縦収差図であり、（ａ）が広角端、（ｂ）が中間焦点距離（４５．０１ｍｍ）、（ｃ）が望遠端の収差図である。
【図３】本発明の実施例１の無限遠合焦状態における標準状態での横収差図であり、（ａ）が広角端、（ｂ）が中間焦点距離（４５．０１ｍｍ）、（ｃ）が望遠端の収差図である。
【図４】本発明の実施例１の無限遠合焦状態における手振れ補正のため第４ａレンズ群Ｇ４ａを変位させた時の横収差図であり、（ａ）が０．１５ｍｍ変位時の広角端、（ｂ）が０．２１ｍｍ変位時の中間焦点距離（４５．０１ｍｍ）、（ｃ）が０．３０ｍｍ変位時の望遠端の収差図である。
【図５】本発明の実施例２の変倍光学系の広角端での無限遠合焦状態におけるレンズ構成図である。
【図６】本発明の実施例２の無限遠合焦状態における縦収差図であり、（ａ）が広角端、（ｂ）が中間焦点距離（４５．００ｍｍ）、（ｃ）が望遠端の収差図である。
【図７】本発明の実施例２の無限遠合焦状態における標準状態での横収差図であり、（ａ）が広角端、（ｂ）が中間焦点距離（４５．００ｍｍ）、（ｃ）が望遠端の収差図である。
【図８】本発明の実施例２の無限遠合焦状態における手振れ補正のため第４ａレンズ群Ｇ４ａを変位させた時の横収差図であり、（ａ）が０．１５ｍｍ変位時の広角端、（ｂ）が０．２１ｍｍ変位時の中間焦点距離（４５．００ｍｍ）、（ｃ）が０．３０ｍｍ変位時の望遠端の収差図である。
【図９】本発明の実施例３の変倍光学系の広角端での無限遠合焦状態におけるレンズ構成図である。
【図１０】本発明の実施例３の無限遠合焦状態における縦収差図であり、（ａ）が広角端、（ｂ）が中間焦点距離（４５．００ｍｍ）、（ｃ）が望遠端の収差図である。
【図１１】本発明の実施例３の無限遠合焦状態における標準状態での横収差図であり、（ａ）が広角端、（ｂ）が中間焦点距離（４５．００ｍｍ）、（ｃ）が望遠端の収差図である。
【図１２】本発明の実施例３の無限遠合焦状態における手振れ補正のため第４レンズ群Ｇ４を変位させた時の横収差図であり、（ａ）が０．１５ｍｍ変位時の広角端、（ｂ）が０．２１ｍｍ変位時の中間焦点距離（４５．００ｍｍ）、（ｃ）が０．３０ｍｍ変位時の望遠端の収差図である。
【図１３】本発明の実施例４の変倍光学系の広角端での無限遠合焦状態におけるレンズ構成図である。
【図１４】本発明の実施例４の無限遠合焦状態における縦収差図であり、（ａ）が広角端、（ｂ）が中間焦点距離（４４．９９ｍｍ）、（ｃ）が望遠端の収差図である。
【図１５】本発明の実施例４の無限遠合焦状態における標準状態での横収差図であり、（ａ）が広角端、（ｂ）が中間焦点距離（４４．９９ｍｍ）、（ｃ）が望遠端の収差図である。
【図１６】本発明の実施例４の無限遠合焦状態における手振れ補正のため第４ａレンズ群Ｇ４ａを変位させた時の横収差図であり、（ａ）が０．１５ｍｍ変位時の広角端、（ｂ）が０．２１ｍｍ変位時の中間焦点距離（４４．９９ｍｍ）、（ｃ）が０．３０ｍｍ変位時の望遠端の収差図である。
【図１７】本発明の実施例５の変倍光学系の広角端での無限遠合焦状態におけるレンズ構成図である。
【図１８】本発明の実施例５の無限遠合焦状態における縦収差図であり、（ａ）が広角端、（ｂ）が中間焦点距離（４５．０１ｍｍ）、（ｃ）が望遠端の収差図である。
【図１９】本発明の実施例５の無限遠合焦状態における標準状態での横収差図であり、（ａ）が広角端、（ｂ）が中間焦点距離（４５．０１ｍｍ）、（ｃ）が望遠端の収差図である。
【図２０】本発明の実施例５の無限遠合焦状態における手振れ補正のため第４ａレンズ群Ｇ４ａを変位させた時の横収差図であり、（ａ）が０．１５ｍｍ変位時の広角端、（ｂ）が０．２１ｍｍ変位時の中間焦点距離（４５．０１ｍｍ）、（ｃ）が０．３０ｍｍ変位時の望遠端の収差図である。
【図２１】本発明の実施例６の変倍光学系の広角端での無限遠合焦状態におけるレンズ構成図である。
【図２２】本発明の実施例６の無限遠合焦状態における縦収差図であり、（ａ）が広角端、（ｂ）が中間焦点距離（４４．９９ｍｍ）、（ｃ）が望遠端の収差図である。
【図２３】本発明の実施例６の無限遠合焦状態における標準状態での横収差図であり、（ａ）が広角端、（ｂ）が中間焦点距離（４４．９９ｍｍ）、（ｃ）が望遠端の収差図である。
【図２４】本発明の実施例６の無限遠合焦状態における手振れ補正のため第４レンズ群Ｇ４を変位させた時の横収差図であり、（ａ）が０．１５ｍｍ変位時の広角端、（ｂ）が０．２１ｍｍ変位時の中間焦点距離（４４．９９ｍｍ）、（ｃ）が０．３０ｍｍ変位時の望遠端の収差図である。
【図２５】本発明の実施例７の変倍光学系の広角端での無限遠合焦状態におけるレンズ構成図である。
【図２６】本発明の実施例７の無限遠合焦状態における縦収差図であり、（ａ）が広角端、（ｂ）が中間焦点距離（４９．９９ｍｍ）、（ｃ）が望遠端の収差図である。
【図２７】本発明の実施例７の無限遠合焦状態における標準状態での横収差図であり、（ａ）が広角端、（ｂ）が中間焦点距離（４９．９９ｍｍ）、（ｃ）が望遠端の収差図である。
【図２８】本発明の実施例７の無限遠合焦状態における手振れ補正のため第４ａレンズ群Ｇ４ａを変位させた時の横収差図であり、（ａ）が０．１３ｍｍ変位時の広角端、（ｂ）が０．２０ｍｍ変位時の中間焦点距離（４９．９９ｍｍ）、（ｃ）が０．３０ｍｍ変位時の望遠端の収差図である。
【発明を実施するための形態】
【００１９】
以下に、本発明にかかる変倍光学系の実施例について詳細に説明する。なお、以下の実施例の説明は本発明の変倍光学系の一例を説明したものであり、本発明はその要旨を逸脱しない範囲において本実施例に限定されるものではない。
【００２０】
本実施例の変倍光学系は、物体側より順に、正の屈折力を有する第１レンズ群Ｇ１、負の屈折力を有する第２レンズ群Ｇ２、正の屈折力を有する第３レンズ群Ｇ３、負の屈折力を有する第４レンズ群Ｇ４、正の屈折力を有する第５レンズ群Ｇ５を有し、広角端から望遠端への変倍の際に、前記第１レンズ群Ｇ１と前記第２レンズ群Ｇ２の間の空気間隔が増大し、前記第２レンズ群Ｇ２と前記第３レンズ群Ｇ３の間の空気間隔が縮小し、前記第３レンズ群Ｇ３と前記第４レンズ群Ｇ４の間の空気間隔が一定もしくは変化し、前記第４レンズ群Ｇ４と前記第５レンズ群Ｇ５の間の空気間隔が変化する構成となっている。
【００２１】
本実施例の変倍光学系は、以下の条件式を満足するように構成されている。
（１）（Ｄ１２ｔ／ｆｔ）×ＦＮＯｔ  ＜  １．４５
（２）１．７２  ＜  ｆｔ／ｆ３  ＜  ２．９８
（３）０．５６  ＜  ｆｔ／ｆ１  ＜  ０．９１
【００２２】
ここで、Ｄ１２ｔは望遠端での無限遠合焦状態における前記第１レンズ群Ｇ１の最も像側のレンズ面と前記第２レンズ群Ｇ２の最も物体側のレンズ面との空気間隔であり、ＦＮＯｔは望遠端での無限遠合焦状態における開口絞りの開放状態のＦナンバーであり、ｆｔは望遠端での無限遠合焦状態におけるレンズ全系の焦点距離であり、ｆ３は前記第３レンズ群Ｇ３の焦点距離であり、ｆ１は前記第１レンズ群Ｇ１の焦点距離である。
【００２３】
条件式（１）の上限値を超えて、光学素子の径の大きさに対して変倍時における前記第１レンズ群Ｇ１と前記第２レンズ群Ｇ２との空気間隔の変化が大きくなると、レンズ鏡筒の変倍機構やその他の機構の複雑化を招くため好ましくない。
【００２４】
条件式（１）の上限値を１．４４にすることで本発明の効果をより確実に達成することができる。さらに条件式（１）の上限値を１．４３にすることで本発明の効果をより確実に達成することができる。
【００２５】
条件式（２）の上限値を超えて、前記第３レンズ群Ｇ３の屈折力が大きくなると、前記第３レンズ群Ｇ３内に残存するコマ収差等が悪化し、広角端から望遠端にかけて良好に収差を補正することが困難となる。
【００２６】
条件式（２）の下限値を超えて、前記第３レンズ群Ｇ３の屈折力が小さくなると、条件式（１）の条件を満足するように前記第１レンズ群Ｇ１と前記第２レンズ群Ｇ２との空気間隔を小さくしようとする場合、前記第２レンズ群Ｇ２以降に配置された光学素子におけるマージナル光線と光軸との距離が拡大されやすくなり、加えて前記第３レンズ群Ｇ３より像面側でのマージナル光線と光軸との距離がさらに大きくなるため、光学系全体の径の大型化を招くため好ましくない。
【００２７】
条件式（２）の上限値を２．９５にすることで本発明の効果をより確実に達成することができる。さらに条件式（２）の上限値を２．９２にすることで本発明の効果をより確実に達成することができる。
【００２８】
また、条件式（２）の下限値を１．９２にすることで本発明の効果をより確実に達成することができる。さらに条件式（２）の下限値を２．１２にすることで本発明の効果をより確実に達成することができる。
【００２９】
条件式（３）の上限値を超えて、前記第１レンズ群Ｇ１の屈折力が大きくなると、レンズ群内の正の屈折力を有する光学素子の曲率が強くなる場合には、前記第１レンズ群Ｇ１内に残存する非点収差等が悪化することとなり、また、レンズ群内の正の屈折力を有する光学素子の屈折率が大きくなる場合には、前記第１レンズ群Ｇ１内に軸上色収差や倍率色収差が発生しやすくなることとなり、いずれの場合においても広角端から望遠端にかけて良好に収差を補正することが困難となる。
【００３０】
条件式（３）の下限値を超えて、前記第１レンズ群Ｇ１の屈折力が小さくなると、前記第１レンズ群Ｇ１と前記第２レンズ群Ｇ２との空気間隔の変化による前記第２レンズ群Ｇ２の変倍効果が小さくなる他、主に変倍領域における望遠域での前記第２レンズ群Ｇ２以降に配置される光学素子におけるマージナル光線と光軸との距離が大きくなるため好ましくない。
【００３１】
条件式（３）の上限値を０．８８にすることで本発明の効果をより確実に達成することができる。さらに条件式（３）の上限値を０．８５にすることで本発明の効果をより確実に達成することができる。
【００３２】
また、条件式（３）の下限値を０．５９にすることで本発明の効果をより確実に達成することができる。さらに条件式（３）の下限値を０．６２にすることで本発明の効果をより確実に達成することができる。
【００３３】
さらに、本実施例の変倍光学系は、前記第４レンズ群Ｇ４の全体もしくは一部を光軸に対して垂直方向の成分を持つ方向に移動させることにより手振れ補正を行うように構成されている。
【００３４】
近年、デジタルカメラ等に用いられる光学系に対して手振れ補正機能を搭載することが、使用者から強く望まれている。本発明のような比較的大口径の変倍光学系に関しては、手振れ補正のために光軸と垂直方向の成分を持つ方向に移動させる光学素子の重量や外径について十分考慮してレンズ設計を行う必要がある。
【００３５】
本発明のような大口径の変倍光学系に入射するマージナル光線は光軸から大きく離れる傾向があるため、光学素子の径は全体的に大きくなる。ここで、径の大きい光学素子を光軸に対して垂直方向に移動させて手振れ補正を行おうとすると、手振れ補正の制御が困難となるほか、重量や外径の大きい光学素子を制御するための手振れ補正ユニットが大型化してしまい、これによりレンズ鏡筒全体の径が手振れ補正のための光学素子の径の拡大分以上に大型化してしまうため、レンズ鏡筒全体の小型化を目指すためには好ましくない。
【００３６】
本発明の変倍光学系において、前記第３レンズ群Ｇ３及び前記第５レンズ群Ｇ５は、正の屈折力を有し、マージナル光線と光軸との距離が特に拡大する位置に配置されるため、光軸に対して垂直方向に移動させる光学素子として適さない。また、本発明のような変倍領域に広角域を含む変倍光学系においては、変倍光学系の物体側において最外角光線と光軸との距離が大きくなるため、前記第１レンズ群Ｇ１及び前記第２レンズ群Ｇ２は、光学素子の径が拡大することとなり、これらを光軸に対して垂直方向に移動させる光学素子として適さない。
【００３７】
そこで、本発明の変倍光学系においては、前記第４レンズ群Ｇ４の全体もしくは一部を光軸に対して垂直方向の成分を持つ方向に移動させることにより手振れ補正を行うように構成することとした。前記第４レンズ群Ｇ４は、マージナル光線と光軸との距離が縮小する位置に配置され、前記第４レンズ群Ｇ４に入射する最外角光線と光軸との距離が小さいため、本発明のような大口径の変倍光学系においても光軸に対して垂直方向に移動させる光学素子として適している。
【００３８】
さらに、本実施例の変倍光学系は、以下の条件式を満足するように構成されている。
（４）３．００  ＜  ｜ｆｔ／ｆ２｜  ＜  ６．００
【００３９】
ここで、ｆ２は前記第２レンズ群Ｇ２の焦点距離である。
【００４０】
条件式（４）の上限値を超えて、前記第２レンズ群Ｇ２の負の屈折力が大きくなると、前記第２レンズ群Ｇ２内に残存する非点収差等が悪化し、広角端から望遠端にかけて良好に収差を補正することが困難となる。
【００４１】
条件式（４）の下限値を超えて、前記第２レンズ群Ｇ２の負の屈折力が小さくなると、前記第２レンズ群Ｇ２が担う変倍効果が制限されるため好ましくない。
【００４２】
条件式（４）の上限値を５．７にすることで本発明の効果をより確実に達成することができる。さらに条件式（４）の上限値を５．４にすることで本発明の効果をより確実に達成することができる。
【００４３】
また、条件式（４）の下限値を３．３にすることで本発明の効果をより確実に達成することができる。さらに条件式（４）の下限値を３．６にすることで本発明の効果をより確実に達成することができる。
【００４４】
さらに、本実施例の変倍光学系は、前記第２レンズ群Ｇ２に負の屈折力を有するレンズＬＮと、その像側に配置される正の屈折力を有するレンズＬＰ１とを有し、以下の条件式を満足するように構成されている。
（５）５．００  ＜  ｖｄＮ−ｖｄＰ１  ＜  ３０．００
【００４５】
ここで、ｖｄＮは前記第２レンズ群Ｇ２に含まれる前記負の屈折力を有するレンズＬＮのアッベ数であり、ｖｄＰ１は前記第２レンズ群Ｇ２に含まれる前記正の屈折力を有するレンズＬＰ１のアッベ数である。
【００４６】
条件式（５）の上限値を超えて、前記負の屈折力を有するレンズＬＮと、その像側に配置される前記正の屈折力を有するレンズＬＰ１とのアッベ数の差が大きくなると、異なる波長ごとに異なる方向性を有するフレアが発生し、良好に収差を補正することが困難となる。
【００４７】
条件式（５）の下限値を超えて、前記負の屈折力を有するレンズＬＮと、その像側に配置される前記正の屈折力を有するレンズＬＰ１とのアッベ数の差が小さくなると、前記第２レンズ群Ｇ２内に倍率色収差等が発生し、広角端から望遠端にかけて良好に収差を補正することが困難となる。
【００４８】
条件式（５）の上限値を２８．０にすることで本発明の効果をより確実に達成することができる。さらに条件式（５）の上限値を２６．０にすることで本発明の効果をより確実に達成することができる。
【００４９】
条件式（５）の下限値を６．０にすることで本発明の効果をより確実に達成することができる。さらに条件式（５）の下限値を７．０にすることで本発明の効果をより確実に達成することができる。
【００５０】
さらに、本実施例の変倍光学系は、前記第２レンズ群Ｇ２に前記正の屈折力を有するレンズＬＰ１とは別に、さらに正の屈折力を有するレンズＬＰ２を有し、以下の条件式を満足するように構成されている。
（６）０．００  ＜  ｖｄＰ１−ｖｄＰ２  ＜  ２５．００
【００５１】
ここで、ｖｄＰ２は前記第２レンズ群Ｇ２に含まれる前記正の屈折力を有するレンズＬＰ２のアッベ数である。
【００５２】
条件式（６）の上限値を超えて、前記正の屈折力を有するレンズＬＰ１と、前記正の屈折力を有するレンズＬＰ２とのアッベ数の差が大きくなると、適切な硝材の選択肢が少なくなり好ましくない。
【００５３】
条件式（６）の下限値を超えて、前記正の屈折力を有するレンズＬＰ１と、前記正の屈折力を有するレンズＬＰ２とのアッベ数の差が小さくなると、前記正の屈折力を有するレンズＬＰ１のみでは補正しきれない前記第２レンズ群Ｇ２内の倍率色収差を前記正の屈折力を有するレンズＬＰ２で補正することが困難になり、広角端から望遠端にかけて良好に収差を補正する上で好ましくない。
【００５４】
条件式（６）の上限値を２３．０にすることで本発明の効果をより確実に達成することができる。さらに条件式（６）の上限値を２１．０にすることで本発明の効果をより確実に達成することができる。
【００５５】
条件式（６）の下限値を１．０にすることで本発明の効果をより確実に達成することができる。さらに条件式（６）の下限値を２．０にすることで本発明の効果をより確実に達成することができる。
【００５６】
次に、本発明にかかる変倍光学系の各実施例のレンズ構成について詳細に説明する。なお、以下の説明ではレンズ構成を物体側から像側の順番で記載する。
【実施例１】
【００５７】
図１は、実施例１の変倍光学系のレンズ構成図である。
【００５８】
実施例１の変倍光学系は、物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、および正の屈折力の第５レンズ群Ｇ５から構成される。
【００５９】
第１レンズ群Ｇ１は、物体側から順に物体側に凸面を向けた負メニスカスレンズＬ１と両凸レンズＬ２からなる接合レンズと、物体側に凸面を向けた正メニスカスレンズＬ３とから構成される。
【００６０】
第２レンズ群Ｇ２は、物体側から順に物体側に凸面を向けた負メニスカスレンズＬ４と、両凹レンズＬ５と物体側に凸面を向けた正メニスカスレンズＬ６からなる接合レンズと、両凸レンズＬ７と、像側に凸面を向けた負メニスカスレンズＬ８とから構成されており、負メニスカスレンズＬ４の両側のレンズ面は所定の非球面形状となっている。第２レンズ群Ｇ２は、無限遠物体距離から近距離へのフォーカシングに際して全体が物体側へ移動する。
【００６１】
この構成において、本発明におけるレンズＬＮ、ＬＰ１およびＬＰ２は、それぞれ前記両凹レンズＬ５、前記物体側に凸面を向けた正メニスカスレンズＬ６および両凸レンズＬ７となる。
【００６２】
第３レンズ群Ｇ３は、物体側から順に両凸レンズＬ９と、両凸レンズＬ１０と、物体側に凸面を向けた負メニスカスレンズＬ１１と両凸レンズＬ１２からなる接合レンズとから構成されており、両凸レンズＬ９の両側のレンズ面は所定の非球面形状となっている。
【００６３】
第４レンズ群Ｇ４は、物体側から順に負の屈折力の第４ａレンズ群Ｇ４ａと正の屈折力の第４ｂレンズ群Ｇ４ｂより構成され、第４ａレンズ群Ｇ４ａのみを光軸と直交する方向に変位させることにより手振れ補正を行う。第４ａレンズ群Ｇ４ａは、両凹レンズＬ１３と物体側に凸面を向けた正メニスカスレンズＬ１４からなる接合レンズから構成されており、両凹レンズＬ１３の物体側のレンズ面は所定の非球面形状となっている。第４ｂレンズ群Ｇ４ｂは、物体側に凸面を向けた正メニスカスレンズＬ１５から構成される。
【００６４】
第５レンズ群Ｇ５は、物体側から順に両凸レンズＬ１６と、両凸レンズＬ１７と両凹レンズＬ１８からなる接合レンズと、両凸レンズＬ１９とから構成されており、両凸レンズＬ１９の両側のレンズ面は所定の非球面形状となっている。
【００６５】
また、実施例１の変倍光学系は、広角端から望遠端への変倍に際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が減少する。
【実施例２】
【００６６】
図５は、実施例２の変倍光学系のレンズ構成図である。
【００６７】
実施例２の変倍光学系は、物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、および正の屈折力の第５レンズ群Ｇ５から構成される。
【００６８】
第１レンズ群Ｇ１は、物体側から順に物体側に凸面を向けた負メニスカスレンズＬ１と両凸レンズＬ２からなる接合レンズと、物体側に凸面を向けた正メニスカスレンズＬ３とから構成される。
【００６９】
第２レンズ群Ｇ２は、物体側から順に物体側に凸面を向けた負メニスカスレンズＬ４と、像側に凸面を向けた正メニスカスレンズＬ５と両凹レンズＬ６と両凸レンズＬ７の３枚からなる接合レンズと、像側に凸面を向けた負メニスカスレンズＬ８とから構成されており、負メニスカスレンズＬ４の両側のレンズ面は所定の非球面形状となっている。第２レンズ群Ｇ２は、無限遠物体距離から近距離へのフォーカシングに際して全体が物体側へ移動する。
【００７０】
この構成において、本発明におけるレンズＬＮ、ＬＰ１およびＬＰ２は、それぞれ前記両凹レンズＬ６、前記両凸レンズＬ７および前記像側に凸面を向けた正メニスカスレンズＬ５となる。
【００７１】
第３レンズ群Ｇ３は、物体側から順に両凸レンズＬ９と、両凸レンズＬ１０と、物体側に凸面を向けた負メニスカスレンズＬ１１と両凸レンズＬ１２からなる接合レンズとから構成されており、両凸レンズＬ９の両側のレンズ面は所定の非球面形状となっている。
【００７２】
第４レンズ群Ｇ４は、物体側から順に負の屈折力の第４ａレンズ群Ｇ４ａと正の屈折力の第４ｂレンズ群Ｇ４ｂより構成され、第４ａレンズ群Ｇ４ａのみを光軸と直交する方向に変位させることにより手振れ補正を行う。第４ａレンズ群Ｇ４ａは、両凹レンズＬ１３と物体側に凸面を向けた正メニスカスレンズＬ１４からなる接合レンズから構成されており、両凹レンズＬ１３の物体側のレンズ面は所定の非球面形状となっている。第４ｂレンズ群Ｇ４ｂは、物体側に凸面を向けた正メニスカスレンズＬ１５から構成される。
【００７３】
第５レンズ群Ｇ５は、物体側から順に両凸レンズＬ１６と、両凸レンズＬ１７と両凹レンズＬ１８からなる接合レンズと、両凸レンズＬ１９とから構成されており、両凸レンズＬ１９の両側のレンズ面は所定の非球面形状となっている。
【００７４】
また、実施例２の変倍光学系は、広角端から望遠端への変倍に際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が減少する。
【実施例３】
【００７５】
図９は、実施例３の変倍光学系のレンズ構成図である。
【００７６】
実施例３の変倍光学系は、物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、正の屈折力の第５レンズ群Ｇ５、および正の屈折力の第６レンズ群Ｇ６から構成される。
【００７７】
第１レンズ群Ｇ１は、物体側から順に物体側に凸面を向けた負メニスカスレンズＬ１と両凸レンズＬ２からなる接合レンズと、物体側に凸面を向けた正メニスカスレンズＬ３とから構成される。
【００７８】
第２レンズ群Ｇ２は、物体側から順に物体側に凸面を向けた負メニスカスレンズＬ４と、像側に凸面を向けた正メニスカスレンズＬ５と両凹レンズＬ６と両凸レンズＬ７の３枚からなる接合レンズと、像側に凸面を向けた負メニスカスレンズＬ８とから構成されており、負メニスカスレンズＬ４の物体側のレンズ面は所定の非球面形状となっている樹脂の層が形成されている。第２レンズ群Ｇ２は、無限遠物体距離から近距離へのフォーカシングに際して全体が物体側へ移動する。
【００７９】
この構成において、本発明におけるレンズＬＮ、ＬＰ１およびＬＰ２は、それぞれ前記両凹レンズＬ６、前記両凸レンズＬ７および前記像側に凸面を向けた正メニスカスレンズＬ５となる。
【００８０】
第３レンズ群Ｇ３は、物体側から順に両凸レンズＬ９と、両凸レンズＬ１０と、物体側に凸面を向けた負メニスカスレンズＬ１１と両凸レンズＬ１２からなる接合レンズとから構成されており、両凸レンズＬ９の両側のレンズ面は所定の非球面形状となっている。
【００８１】
第４レンズ群Ｇ４は、両凹レンズＬ１３と物体側に凸面を向けた正メニスカスレンズＬ１４からなる接合レンズから構成されており、両凹レンズＬ１３の物体側のレンズ面は所定の非球面形状となっている。第４レンズ群Ｇ４を光軸と直交する方向に変位させることにより手振れ補正を行う。
【００８２】
第５レンズ群Ｇ５は、物体側に凸面を向けた正メニスカスレンズＬ１５から構成される。
【００８３】
第６レンズ群Ｇ６は、物体側から順に両凸レンズＬ１６と、像側に凸面を向けた正メニスカスレンズＬ１７と両凹レンズＬ１８からなる接合レンズと、両凸レンズＬ１９とから構成されており、両凸レンズＬ１９の両側のレンズ面は所定の非球面形状となっている。
【００８４】
また、実施例３の変倍光学系は、広角端から望遠端への変倍に際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が減少し、第５レンズ群Ｇ５と第６レンズ群Ｇ６との間隔が減少する。
【実施例４】
【００８５】
図１３は、実施例４の変倍光学系のレンズ構成図である。
【００８６】
実施例４の変倍光学系は、物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、および正の屈折力の第５レンズ群Ｇ５から構成される。
【００８７】
第１レンズ群Ｇ１は、物体側から順に物体側に凸面を向けた負メニスカスレンズＬ１と両凸レンズＬ２からなる接合レンズと、物体側に凸面を向けた正メニスカスレンズＬ３とから構成される。
【００８８】
第２レンズ群Ｇ２は、物体側から順に物体側に凸面を向けた負メニスカスレンズＬ４と、像側に凸面を向けた正メニスカスレンズＬ５と両凹レンズＬ６からなる接合レンズと、両凸レンズＬ７と、像側に凸面を向けた負メニスカスレンズＬ８とから構成されており、負メニスカスレンズＬ４の物体側のレンズ面は所定の非球面形状となっている樹脂の層が形成されている。第２レンズ群Ｇ２は、無限遠物体距離から近距離へのフォーカシングに際して全体が物体側へ移動する。
【００８９】
この構成において、本発明におけるレンズＬＮ、ＬＰ１およびＬＰ２は、それぞれ前記両凹レンズＬ６、前記両凸レンズＬ７および前記像側に凸面を向けた正メニスカスレンズＬ５となる。
【００９０】
第３レンズ群Ｇ３は、物体側から順に両凸レンズＬ９と、両凸レンズＬ１０と、両凹レンズＬ１１と両凸レンズＬ１２からなる接合レンズとから構成されており、両凸レンズＬ９の両側のレンズ面は所定の非球面形状となっている。
【００９１】
第４レンズ群Ｇ４は、物体側から順に負の屈折力の第４ａレンズ群Ｇ４ａと正の屈折力の第４ｂレンズ群Ｇ４ｂより構成され、第４ａレンズ群Ｇ４ａのみを光軸と直交する方向に変位させることにより手振れ補正を行う。第４ａレンズ群Ｇ４ａは、両凹レンズＬ１３と物体側に凸面を向けた正メニスカスレンズＬ１４からなる接合レンズから構成されており、両凹レンズＬ１３の物体側のレンズ面は所定の非球面形状となっている。第４ｂレンズ群Ｇ４ｂは、物体側に凸面を向けた正メニスカスレンズＬ１５から構成される。
【００９２】
第５レンズ群Ｇ５は、物体側から順に両凸レンズＬ１６と、像側に凸面を向けた正メニスカスレンズＬ１７と両凹レンズＬ１８からなる接合レンズと、両凸レンズＬ１９とから構成されており、両凸レンズＬ１９の両側のレンズ面は所定の非球面形状となっている。
【００９３】
また、実施例４の変倍光学系は、広角端から望遠端への変倍に際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化せず、第４レンズ群Ｇ４と第５レンズ群Ｇ５との間隔が減少する。
【実施例５】
【００９４】
図１７は、実施例５の変倍光学系のレンズ構成図である。
【００９５】
実施例５の変倍光学系は、物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、および正の屈折力の第５レンズ群Ｇ５から構成される。
【００９６】
第１レンズ群Ｇ１は、物体側から順に物体側に凸面を向けた負メニスカスレンズＬ１と両凸レンズＬ２からなる接合レンズと、物体側に凸面を向けた正メニスカスレンズＬ３とから構成される。
【００９７】
第２レンズ群Ｇ２は、物体側から順に物体側に凸面を向けた負メニスカスレンズＬ４と、像側に凸面を向けた正メニスカスレンズＬ５と両凹レンズＬ６からなる接合レンズと、両凸レンズＬ７と、像側に凸面を向けた負メニスカスレンズＬ８とから構成されており、負メニスカスレンズＬ４の物体側のレンズ面は所定の非球面形状となっている樹脂の層が形成されている。第２レンズ群Ｇ２は、無限遠物体距離から近距離へのフォーカシングに際して全体が物体側へ移動する。
【００９８】
この構成において、本発明におけるレンズＬＮ、ＬＰ１およびＬＰ２は、それぞれ前記両凹レンズＬ６、前記両凸レンズＬ７および前記像側に凸面を向けた正メニスカスレンズＬ５となる。
【００９９】
第３レンズ群Ｇ３は、物体側から順に両凸レンズＬ９と、両凸レンズＬ１０と、両凹レンズＬ１１と両凸レンズＬ１２からなる接合レンズとから構成されており、両凸レンズＬ９の両側のレンズ面は所定の非球面形状となっている。
【０１００】
第４レンズ群Ｇ４は、物体側から順に負の屈折力の第４ａレンズ群Ｇ４ａと正の屈折力の第４ｂレンズ群Ｇ４ｂより構成され、第４ａレンズ群Ｇ４ａのみを光軸と直交する方向に変位させることにより手振れ補正を行う。第４ａレンズ群Ｇ４ａは、両凹レンズＬ１３と物体側に凸面を向けた正メニスカスレンズＬ１４からなる接合レンズから構成されており、両凹レンズＬ１３の物体側のレンズ面は所定の非球面形状となっている。第４ｂレンズ群Ｇ４ｂは、物体側に凸面を向けた正メニスカスレンズＬ１５から構成される。
【０１０１】
第５レンズ群Ｇ５は、物体側から順に両凸レンズＬ１６と、像側に凸面を向けた正メニスカスレンズＬ１７と両凹レンズＬ１８からなる接合レンズと、両凸レンズＬ１９とから構成されており、両凸レンズＬ１９の両側のレンズ面は所定の非球面形状となっている。
【０１０２】
また、実施例５の変倍光学系は、広角端から望遠端への変倍に際して、第１レンズ群Ｇ１と第２レンズ群Ｇ２との間隔が増大し、第２レンズ群Ｇ２と第３レンズ群Ｇ３との間隔が減少し、第４レンズ群Ｇ４と第５レンズ群Ｇ５との間隔が減少する。同様に、広角端から望遠端への変倍に際して、第３レンズ群Ｇ３と第４レンズ群Ｇ４との間隔は広角端から変倍中間域までにおいて増大した後、変倍中間域から望遠端までにおいて減少する。
【実施例６】
【０１０３】
図２１は、実施例６の変倍光学系のレンズ構成図である。
【０１０４】
実施例６の変倍光学系は、物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、および正の屈折力の第５レンズ群Ｇ５から構成される。
【０１０５】
第１レンズ群Ｇ１は、物体側から順に物体側に凸面を向けた負メニスカスレンズＬ１と両凸レンズＬ２からなる接合レンズと、物体側に凸面を向けた正メニスカスレンズＬ３とから構成される。
【０１０６】
第２レンズ群Ｇ２は、物体側から順に物体側に凸面を向けた負メニスカスレンズＬ４と、像側に凸面を向けた正メニスカスレンズＬ５と両凹レンズＬ６からなる接合レンズと、両凸レンズＬ７と、像側に凸面を向けた負メニスカスレンズＬ８とから構成されており、負メニスカスレンズＬ４の物体側のレンズ面は所定の非球面形状となっている樹脂の層が形成されている。第２レンズ群Ｇ２は、無限遠物体距離から近距離へのフォーカシングに際して全体が物体側へ移動する。
【０１０７】
この構成において、本発明におけるレンズＬＮ、ＬＰ１およびＬＰ２は、それぞれ前記両凹レンズＬ６、前記両凸レンズＬ７および前記像側に凸面を向けた正メニスカスレンズＬ５となる。
【０１０８】
第３レンズ群Ｇ３は、物体側から順に両凸レンズＬ９と、両凸レンズＬ１０と、両凹レンズＬ１１と両凸レンズＬ１２からなる接合レンズとから構成されており、両凸レンズＬ９の両側のレンズ面は所定の非球面形状となっている。
【０１０９】
第４レンズ群Ｇ４は、両凹レンズＬ１３と物体側に凸面を向けた正メニスカスレンズＬ１４からなる接合レンズから構成されており、両凹レンズＬ１３の物体側のレンズ面は所定の非球面形状となっている。第４レンズ群Ｇ４を光軸と直交する方向に変位させることにより手振れ補正を行う。
【０１１０】
第５レンズ群Ｇ５は、物体側から順に両凸レンズＬ１５と、像側に凸面を向けた正メニスカスレンズＬ１６と両凹レンズＬ１７からなる接合レンズと、両凸レンズＬ１８とから構成されており、両凸レンズＬ１８の両側のレンズ面は所定の非球面形状となっている。
【０１１１】
また、実施例６の変倍光学系は、広角端から望遠端への変倍に際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化せず、第４レンズ群Ｇ４と第５レンズ群Ｇ５との間隔が減少する。
【実施例７】
【０１１２】
図２５は、実施例７の変倍光学系のレンズ構成図である。
【０１１３】
実施例７の変倍光学系は、物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、および正の屈折力の第５レンズ群Ｇ５から構成される。
【０１１４】
第１レンズ群Ｇ１は、物体側から順に物体側に凸面を向けた負メニスカスレンズＬ１と両凸レンズＬ２からなる接合レンズと、物体側に凸面を向けた正メニスカスレンズＬ３とから構成される。
【０１１５】
第２レンズ群Ｇ２は、物体側から順に物体側に凸面を向けた負メニスカスレンズＬ４と、両凹レンズＬ５と物体側に凸面を向けた正メニスカスレンズＬ６からなる接合レンズと、両凸レンズＬ７と、像側に凸面を向けた負メニスカスレンズＬ８とから構成されており、負メニスカスレンズＬ４の両側のレンズ面は所定の非球面形状となっている。第２レンズ群Ｇ２は、無限遠物体距離から近距離へのフォーカシングに際して全体が物体側へ移動する。
【０１１６】
この構成において、本発明におけるレンズＬＮ、ＬＰ１およびＬＰ２は、それぞれ前記両凹レンズＬ５、前記物体側に凸面を向けた正メニスカスレンズＬ６および両凸レンズＬ７となる。
【０１１７】
第３レンズ群Ｇ３は、物体側から順に両凸レンズＬ９と、両凸レンズＬ１０と、物体側に凸面を向けた負メニスカスレンズＬ１１と両凸レンズＬ１２からなる接合レンズとから構成されており、両凸レンズＬ９の両側のレンズ面は所定の非球面形状となっている。
【０１１８】
第４レンズ群Ｇ４は、物体側から順に負の屈折力の第４ａレンズ群Ｇ４ａと正の屈折力の第４ｂレンズ群Ｇ４ｂより構成され、第４ａレンズ群Ｇ４ａのみを光軸と直交する方向に変位させることにより手振れ補正を行う。第４ａレンズ群Ｇ４ａは、両凹レンズＬ１３と物体側に凸面を向けた正メニスカスレンズＬ１４からなる接合レンズから構成されており、両凹レンズＬ１３の物体側のレンズ面は所定の非球面形状となっている。第４ｂレンズ群Ｇ４ｂは、物体側に凸面を向けた正メニスカスレンズＬ１５から構成される。
【０１１９】
第５レンズ群Ｇ５は、物体側から順に両凸レンズＬ１６と、両凸レンズＬ１７と両凹レンズＬ１８からなる接合レンズと、両凸レンズＬ１９とから構成されており、両凸レンズＬ１９の両側のレンズ面は所定の非球面形状となっている。
【０１２０】
また、実施例７の変倍光学系は、広角端から望遠端への変倍に際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が減少する。
【０１２１】
以下に、前述した本発明の変倍光学系の各実施例の具体的な数値データを示す。
【０１２２】
［面データ］において、面番号は物体側から数えたレンズ面または開口絞りの番号、ｒは各レンズ面の曲率半径、ｄは各レンズ面の間隔、ｎｄはｄ線（波長５８７．５６ｎｍ）に対する屈折率、ｖｄはｄ線に対するアッベ数を示している。また、有効径の列には、変倍領域の全域における各レンズ面または開口絞りの最大有効径を示している。
【０１２３】
面番号に付した＊（アスタリスク）は、そのレンズ面形状が非球面であることを示している。また、ＢＦはバックフォーカスを表している。
【０１２４】
面番号に付した（絞り）は、その位置に開口絞りが位置していることを示している。平面または開口絞りに対する曲率半径には∞（無限大）を記入している。
【０１２５】
［非球面データ］には、［面データ］において＊を付したレンズ面の非球面形状を与える各係数の値を示している。非球面の形状は、下記の式で表される。以下の式において、光軸に直交する方向への光軸からの変位をｙ、非球面と光軸の交点から光軸方向への変位（サグ量）をｚ、基準球面の曲率半径をｒ、コーニック係数をＫで表している。また、４、６、８、１０、１２次の非球面係数をそれぞれＡ４、Ａ６、Ａ８、Ａ１０、Ａ１２で表している。
【０１２６】
2017156719.tif 000003
【０１２７】
［各種データ］には、ズーム比及び各焦点距離状態における焦点距離等の値を示している。
【０１２８】
［可変間隔データ］には、各焦点距離状態における可変間隔及びＢＦの値を示している。
【０１２９】
［レンズ群データ］には、各レンズ群を構成する最も物体側のレンズ面番号及びレンズ群全体の合成焦点距離を示している。
【０１３０】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１３１】
（実施例１）
数値実施例１
単位：mm
［面データ］
面番号        r             d             nd            vd          有効径
1          545.5945        1.7500       1.92286         20.88         69.65
2          121.8328        7.1165       1.72916         54.67         66.86
3        -1000.0000        0.1500                                     65.87
4           52.0662        7.1114       1.80420         46.50         58.87
5          117.7820          (d5)                                     57.51
6*         134.9082        1.1500       1.85135         40.10         32.83
7*          16.5543        8.6668                                     24.36
8          -26.8666        0.9000       1.72916         54.67         23.82
9           26.8666        4.3954       1.83481         42.72         23.31
10         532.3053        0.3842                                     23.07
11         101.5519        4.9171       1.80809         22.76         22.89
12         -36.2320        1.4343                                     23.03
13         -24.0649        0.9000       1.88300         40.81         22.89
14         -52.6726         (d14)                                     23.72
15(絞り)            ∞        1.1500                                     25.99
16*         39.5105        5.1134       1.80610         40.73         28.56
17*       -113.8827        0.1500                                     28.61
18         212.1631        3.0782       1.61997         63.88         28.55
19         -81.0902        0.1500                                     28.44
20         200.0000        0.9000       1.85478         24.80         27.75
21          26.1614        7.4660       1.49700         81.61         26.70
22         -71.9203         (d22)                                     26.58
23*        -73.8939        1.1162       1.77250         49.50         24.73
24          33.1900        2.5272       1.80809         22.76         24.79
25          70.7357        1.6389                                     24.78
26          38.0840        1.7551       1.51742         52.15         25.52
27          54.1174         (d27)                                     25.46
28          38.2080        6.3130       1.59282         68.62         25.87
29         -47.7602        0.1500                                     25.97
30         437.8629        3.4891       1.59282         68.62         25.83
31         -47.0116        0.9000       1.95375         32.32         25.73
32          65.3512        1.9436                                     25.95
33*        171.0884        3.1057       1.80610         40.73         26.44
34*       -104.7003          (BF)                                     27.01
像面              ∞
［非球面データ］
6面           7面           16面          17面     
K                 0.0000        0.0000        0.0000        0.0000
A4           1.62710E-05   5.96130E-06  -3.38060E-06   6.75530E-06
A6          -6.78580E-08  -6.16310E-08   7.29310E-09   4.15380E-09
A8           3.22350E-10   3.70060E-10  -6.83650E-12  -1.71460E-11
A10          -8.15570E-13  -1.98060E-12  -7.89830E-14  -4.14860E-14
A12           9.97360E-16   8.93120E-15   5.29580E-17   0.00000E+00
23面          33面          34面
K                 0.0000        0.0000        0.0000
A4           4.31950E-06  -6.60950E-06   4.89080E-06
A6           1.97060E-09  -1.73870E-08  -7.93250E-09
A8          -5.65700E-11   1.55020E-10   1.64860E-10
A10           1.01870E-13  -3.38880E-13  -2.98090E-13
A12           0.00000E+00   0.00000E+00   0.00000E+00
［各種データ］
ズーム比              2.72
広角          中間          望遠
焦点距離             24.84         45.01         67.55
Fナンバー              2.93          2.93          2.93
全画角2ω             83.76         50.65         34.58
像高Y               21.63         21.63         21.63
レンズ全長           149.73        163.72        180.73
絞り径              19.31         23.87         25.99
［可変間隔データ］
広角          中間          望遠
d5            3.4411       15.9487       30.5409
d14           15.9358        5.4783        2.0000
d22            2.6285        4.7911        6.1391
d27            9.3452        2.8630        1.5000
BF           38.5600       54.8138       60.7307
［レンズ群データ］
群             始面        焦点距離
G1              1              101.33
G2              6              -16.13
G3              15              29.84
G4              23             -59.33
G5              28              51.39
G4a              23             -47.56
G4b              26             239.49
【０１３２】
（実施例２）
数値実施例２
単位：mm
［面データ］
面番号        r             d             nd            vd          有効径
1          776.4452        1.7500       1.80809         22.76         70.25
2          108.1394        8.1918       1.72916         54.67         66.91
3         -908.2971        0.1500                                     65.81
4           54.1886        6.8023       1.80420         46.50         58.92
5          119.7579          (d5)                                     57.45
6*         121.7636        1.1000       1.90270         31.01         32.90
7*          17.2121        8.2765                                     24.90
8          -31.8821        2.7680       1.80809         22.76         24.43
9          -27.6747        1.0000       1.65844         50.85         24.26
10          27.6747        6.0415       1.85478         24.80         23.21
11         -59.3802        2.6468                                     22.62
12         -25.4789        0.9000       1.80420         46.50         22.49
13         -46.4794         (d13)                                     23.33
14(絞り)            ∞        1.1500                                     25.69
15*         37.8080        4.5759       1.80610         40.73         28.31
16*       -200.0000        0.1500                                     28.33
17         171.5178        3.2781       1.61997         63.88         28.34
18        -101.0679        0.1500                                     28.25
19         157.3906        0.9000       1.85478         24.80         27.77
20          27.0876        6.9829       1.49700         81.61         26.89
21         -53.5602         (d21)                                     26.86
22*        -72.2297        0.9999       1.77250         49.50         24.60
23          31.0965        2.8888       1.80809         22.76         24.59
24          63.7284        1.7029                                     24.57
25          37.3313        1.9914       1.54814         45.82         25.53
26          52.9594         (d26)                                     25.44
27          36.1134        6.1913       1.59282         68.62         25.86
28         -47.6529        0.1500                                     25.98
29         575.3088        4.0674       1.55032         75.50         25.76
30         -37.9869        0.9000       1.95375         32.32         25.62
31          63.4923        1.7800                                     26.00
32*        122.5076        2.8562       1.80610         40.73         26.57
33*        -94.2365          (BF)                                     27.01
像面              ∞
［非球面データ］
6面           7面           15面          16面     
K                 0.0000        0.0000        0.0000        0.0000
A4           9.76660E-06   1.31900E-06  -2.63410E-06   7.40130E-06
A6          -1.41520E-08  -2.28300E-08   7.48100E-09   5.17000E-09
A8           1.18440E-11   3.41860E-10  -2.62860E-11  -3.38890E-11
A10           8.67880E-14  -3.03950E-12  -5.36250E-14  -4.30600E-14
A12          -1.24580E-16   1.15100E-14   5.80000E-18   0.00000E+00
22面          32面          33面
K                 0.0000        0.0000        0.0000
A4           4.51760E-06  -6.19180E-06   5.52430E-06
A6          -3.57780E-11  -2.29500E-08  -1.60610E-08
A8          -3.62460E-11   1.69770E-10   1.90180E-10
A10           5.47350E-14  -3.17830E-13  -2.98090E-13
A12           0.00000E+00   0.00000E+00   0.00000E+00
［各種データ］
ズーム比              2.73
広角          中間          望遠
焦点距離             24.81         45.00         67.69
Fナンバー              2.92          2.92          2.92
全画角2ω             83.83         50.52         34.52
像高Y               21.63         21.63         21.63
レンズ全長           150.16        164.14        181.16
絞り径              19.10         23.60         25.69
［可変間隔データ］
広角          中間          望遠
d5            3.4365       16.0496       31.1586
d13           16.0807        5.5175        2.0000
d21            2.1706        5.2127        6.4000
d26            9.5735        3.2301        1.5000
BF           38.5597       53.7848       59.7623
［レンズ群データ］
群             始面        焦点距離
G1              1              103.96
G2              6              -16.44
G3              14              29.26
G4              22             -55.57
G5              27              51.03
G4a              22             -44.46
G4b              25             220.83
【０１３３】
（実施例３）
数値実施例３
単位：mm
［面データ］
面番号        r             d             nd            vd          有効径
1         1000.0000        1.7500       1.80809         22.76         69.80
2           99.2117        8.6514       1.72916         54.67         66.46
3         -963.9294        0.1500                                     65.67
4           60.8956        6.8032       1.88300         40.81         60.01
5          134.5227          (d5)                                     58.39
6*         164.8391        0.1000       1.51840         52.10         33.55
7           93.4761        1.0000       1.88300         40.81         32.76
8           17.7618        7.6685                                     25.70
9          -42.4146        3.8804       1.80809         22.76         25.53
10         -22.7993        1.0000       1.72916         54.67         25.26
11          23.5178        6.5826       1.90043         37.37         23.64
12         -83.5058        2.8329                                     22.90
13         -28.1473        0.9000       1.80420         46.50         23.21
14         -54.1490         (d14)                                     24.38
15(絞り)            ∞        1.1500                                     26.67
16*         37.8574        4.4966       1.76450         49.10         29.34
17*       -516.4052        0.1500                                     29.43
18         194.8791        3.8292       1.59282         68.62         29.50
19         -70.0044        0.1500                                     29.49
20          95.9367        1.0000       1.84666         23.78         28.73
21          29.1282        6.6619       1.43700         95.10         27.75
22         -66.7437         (d22)                                     27.63
23*        -59.3233        1.2359       1.77250         49.46         25.52
24          28.6205        3.4140       1.84666         23.78         25.60
25          68.1883         (d25)                                     25.59
26          30.1249        3.0202       1.59282         68.62         26.41
27          53.3746         (d27)                                     26.10
28          36.4570        6.4477       1.43700         95.10         26.21
29         -44.1127        0.1500                                     26.37
30        -420.6080        3.9274       1.48749         70.44         26.21
31         -36.4605        1.0000       1.74950         35.33         26.20
32          83.9328        0.6314                                     26.68
33*        116.1448        2.4396       1.80610         40.73         26.69
34*       -144.6694          (BF)                                     27.06
像面              ∞
［非球面データ］
6面           16面          17面     
K                 0.0000        0.0000        0.0000
A4           1.13800E-05  -4.22100E-06   4.16740E-06
A6          -1.75870E-08  -7.15160E-10  -2.38150E-09
A8           2.96630E-11  -1.83400E-11  -2.08760E-11
A10          -1.70190E-14  -8.64390E-15   0.00000E+00
23面          33面          34面
K                 0.0000        0.0000        0.0000
A4           3.14470E-06  -7.85540E-06   6.31730E-06
A6           1.33140E-09  -1.61360E-08  -5.07710E-09
A8          -7.46000E-12   1.64810E-11   5.29390E-11
A10           8.55130E-15   0.00000E+00   0.00000E+00
［各種データ］
ズーム比              2.92
広角          中間          望遠
焦点距離             24.81         44.99         72.49
Fナンバー              2.92          2.92          2.92
全画角2ω             83.83         50.48         32.36
像高Y               21.63         21.63         21.63
レンズ全長           153.62        167.33        189.00
絞り径              19.31         24.18         26.67
［可変間隔データ］
広角          中間          望遠
d5            3.6340       15.3161       34.1079
d14           18.2338        6.5518        2.0000
d22            2.2671        5.7690        6.5197
d25            2.7143        0.9000        0.9000
d27            7.1925        3.1583        1.5000
BF           38.5602       54.6145       62.9505
［レンズ群データ］
群             始面        焦点距離
G1              1              110.38
G2              6              -17.47
G3              15              30.81
G4              23             -43.15
G5              26             111.28
G6              28              59.19
【０１３４】
（実施例４）
数値実施例４
単位：mm
［面データ］
面番号        r             d            nd            vd          有効径
1         1000.0000        1.7500      1.80809         22.76         70.57
2           96.6732        9.1921      1.72916         54.67         67.84
3         -967.8373        0.1500                                    66.98
4           58.8238        7.4868      1.88300         40.81         60.71
5          135.1157          (d5)                                    58.70
6*         288.5617        0.1000      1.51840         52.10         32.27
7          100.7775        1.0000      1.88300         40.81         31.54
8           17.4211        6.8737                                    24.41
9          -52.1947        5.0851      1.80809         22.76         23.94
10         -18.7360        1.0000      1.88100         40.14         23.34
11          84.7156        0.1500                                    22.34
12          53.8176        4.2391      1.90366         31.32         22.29
13         -64.4098        1.9466                                    22.15
14         -23.9263        0.9000      1.59282         68.62         22.07
15         -45.4337         (d15)                                    22.41
16(絞り)            ∞        1.1500                                    24.61
17*         40.0000        4.7019      1.77250         49.46         26.65
18*        -92.0585        0.1500                                    26.75
19         590.5596        3.2963      1.59282         68.62         26.65
20         -61.5839        0.1500                                    26.53
21        -413.0870        1.0000      1.72825         28.32         26.00
22          25.0000        5.7480      1.55032         75.50         25.11
23        -117.4830        3.2547                                    24.97
24*        -40.8887        1.2544      1.77250         49.46         24.41
25          30.4234        3.2105      1.80809         22.76         24.93
26          74.4884        1.2949                                    25.04
27          40.4147        2.8821      1.72916         54.67         26.06
28          96.8123         (d28)                                    25.97
29          30.1654        7.0698      1.49700         81.61         26.33
30         -43.6824        0.1500                                    26.36
31        -640.3048        4.1458      1.49700         81.61         26.05
32         -33.8029        1.0000      1.74950         35.33         25.90
33          56.7402        0.9098                                    26.14
34*         81.3655        3.5998      1.80610         40.73         26.14
35*       -168.0355          (BF)                                    26.78
像面              ∞
［非球面データ］
6面           17面         18面     
K                 0.0000        0.0000       0.0000
A4           1.64520E-05  -5.22060E-06  2.67390E-06
A6          -2.43880E-08  -2.06600E-09  1.18840E-10
A8           2.96850E-11   1.02220E-11  5.51210E-12
A10           3.37340E-14  -8.47890E-15  0.00000E+00
24面          34面          35面
K                 0.0000        0.0000        0.0000
A4           5.47120E-06  -9.83610E-06   7.69730E-06
A6           1.17800E-08  -3.64940E-08  -1.90160E-08
A8          -2.38300E-11   7.50330E-11   1.01260E-10
A10          -5.51960E-14  -1.85450E-13  -1.25110E-13
［各種データ］
ズーム比              2.73
広角          中間         望遠
焦点距離             24.81         44.99        67.69
Fナンバー              2.92          2.92         2.92
全画角2ω             83.84         50.59        34.52
像高Y               21.63         21.63        21.63
レンズ全長           151.05        165.26       182.05
絞り径              18.75         22.83        24.61
［可変間隔データ］
広角          中間         望遠
d5            3.6751       16.5569       31.8934
d15           17.4981        6.0247       2.1274
d28            6.4722        2.4586       1.5000
BF           38.5596       55.3792       61.6836
［レンズ群データ］
群             始面        焦点距離
G1              1              103.92
G2              6              -17.37
G3              16              30.67
G4              24             -56.23
G5              29              47.84
G4a              24             -34.43
G4b              27              93.14
【０１３５】
（実施例５）
数値実施例５
単位：mm
［面データ］
面番号        r             d             nd            vd          有効径
1         1000.0000        1.7500       1.80809         22.76         70.55
2          101.9055        8.9005       1.72916         54.67         67.99
3         -972.4970        0.1500                                     67.12
4           60.6306        7.3784       1.88300         40.81         61.00
5          138.2015          (d5)                                     59.11
6*         274.2417        0.1000       1.51840         52.10         32.70
7          100.2347        1.0000       1.88300         40.81         31.94
8           17.8325        7.4193                                     24.82
9          -47.2754        4.8962       1.80809         22.76         23.99
10         -19.0160        1.0000       1.88100         40.14         23.45
11         116.4570        0.1500                                     22.60
12          60.3245        4.1965       1.90366         31.32         22.53
13         -60.8978        1.8825                                     22.37
14         -24.1497        0.9000       1.59282         68.62         22.29
15         -48.7023         (d15)                                     22.63
16(絞り)            ∞        1.1500                                     24.70
17*         40.0000        4.9234       1.77250         49.46         26.75
18*        -75.6864        0.1500                                     26.82
19         395.9315        3.5853       1.61997         63.88         26.64
20         -53.9544        0.1500                                     26.46
21        -120.5580        1.0000       1.74077         27.76         25.91
22          28.9761        5.3376       1.49700         81.61         25.06
23        -102.6652         (d23)                                     24.96
24*        -41.8448        1.1908       1.77250         49.46         24.39
25          32.7437        3.1330       1.80809         22.76         24.93
26          84.4076        1.2510                                     25.06
27          41.8082        2.9736       1.80420         46.50         26.15
28         117.4079         (d28)                                     26.02
29          29.8673        6.9535       1.43700         95.10         26.16
30         -46.1168        0.1500                                     26.32
31        -619.4686        4.1622       1.59282         68.62         26.15
32         -34.2500        1.0000       1.74950         35.33         26.09
33          55.1894        1.2450                                     26.28
34*        114.7491        2.5144       1.80610         40.73         26.29
35*       -116.6108          (BF)                                     26.67
像面              ∞
［非球面データ］
6面           17面          18面     
K                 0.0000        0.0000        0.0000
A4           1.54130E-05  -4.75120E-06   4.09210E-06
A6          -2.08490E-08   5.11390E-09   6.38160E-09
A8           2.14610E-11  -1.16730E-11  -9.79640E-12
A10           4.07570E-14   1.58680E-14   0.00000E+00
24面          34面          35面
K                 0.0000        0.0000        0.0000
A4           4.26360E-06  -1.05140E-05   5.34240E-06
A6           1.16920E-08  -4.68620E-08  -3.00420E-08
A8          -1.40260E-11   1.12920E-10   1.42940E-10
A10          -7.79840E-14   3.35510E-13   3.35620E-13
［各種データ］
ズーム比              2.73
広角          中間          望遠
焦点距離             24.81         45.01         67.70
Fナンバー              2.92          2.92          2.92
全画角2ω             83.84         50.54         34.52
像高Y               21.63         21.63         21.63
レンズ全長           151.45        165.09        182.45
絞り径              18.94         23.03         24.70
［可変間隔データ］
広角          中間          望遠
d5            3.7062       16.5670       32.8522
d15           18.0153        5.9236        2.0000
d23            3.1384        3.5351        3.1383
d28            7.4318        2.5197        1.5000
BF           38.5603       55.9559       62.3619
［レンズ群データ］
群             始面        焦点距離
G1              1              107.15
G2              6              -17.63
G3              16              31.60
G4              24             -71.02
G5              29              53.63
G4a              24             -36.57
G4b              27              79.35
【０１３６】
（実施例６）
数値実施例６
単位：mm
［面データ］
面番号        r             d             nd            vd          有効径
1         1000.0000        1.7500       1.80809         22.76         70.68
2           96.1921        9.1414       1.72916         54.67         67.95
3        -1045.1714        0.1500                                     67.11
4           57.3567        7.4781       1.88300         40.81         60.73
5          127.1127          (d5)                                     58.86
6*         245.7938        0.1000       1.51840         52.10         32.81
7           96.6368        1.0000       1.88300         40.81         32.22
8           16.9269        7.2090                                     24.68
9          -49.2796        4.9919       1.80809         22.76         24.30
10         -19.2758        1.0000       1.88100         40.14         23.80
11          79.1895        0.1500                                     23.06
12          50.4654        4.5289       1.90366         31.32         23.08
13         -65.6160        3.9871                                     23.16
14         -23.9237        0.9000       1.59282         68.62         22.96
15         -42.4045         (d15)                                     23.69
16(絞り)            ∞        1.1500                                     26.21
17*         41.7334        5.8554       1.77250         49.46         28.37
18*        -51.6665        0.1500                                     28.54
19         123.7170        4.5750       1.59282         68.62         27.74
20         -56.5351        0.1500                                     27.19
21         -56.1776        1.0000       1.74077         27.76         27.07
22          39.1041        4.0517       1.59282         68.62         26.13
23        -672.9800        3.2145                                     25.89
24*        -64.2129        1.0816       1.77377         47.17         25.29
25          31.3030        3.1979       1.80809         22.76         25.55
26          75.9903         (d26)                                     25.60
27          28.8748        7.3636       1.55032         75.50         26.87
28         -39.1545        0.1500                                     26.87
29       -1496.4376        4.6538       1.55032         75.50         26.31
30         -28.4730        1.0000       1.90043         37.37         26.09
31          94.5717        0.7503                                     26.48
32*        248.1483        5.4849       1.80610         40.73         26.47
33*        -73.6641          (BF)                                     27.46
像面              ∞
［非球面データ］
6面           17面          18面     
K                 0.0000        0.0000        0.0000
A4           1.61910E-05  -6.20430E-06   1.93670E-06
A6          -2.66250E-08   6.65270E-10   1.09200E-09
A8           4.15360E-11  -1.99320E-11  -3.09540E-11
A10          -8.11010E-15  -3.47580E-14   0.00000E+00
24面          32面          33面
K                 0.0000        0.0000        0.0000
A4           4.40570E-06  -8.74190E-06   7.13210E-06
A6           6.37150E-09  -1.03280E-08   2.58200E-09
A8          -6.01750E-11   2.29720E-10   2.42510E-10
A10           1.14870E-13  -5.46570E-13  -3.97910E-13
［各種データ］
ズーム比              2.73
広角          中間          望遠
焦点距離             24.81         44.99         67.69
Fナンバー              2.92          2.92          2.92
全画角2ω             83.84         50.55         34.52
像高Y               21.63         21.63         21.63
レンズ全長           151.97        166.14        182.97
絞り径              19.17         24.03         26.21
［可変間隔データ］
広角          中間          望遠
d5            3.5760       16.8223       32.2193
d15           16.0064        5.8287        2.2904
d26            7.6114        2.6343        1.5000
BF           38.5593       54.6391       60.7426
［レンズ群データ］
群             始面        焦点距離
G1              1              104.49
G2              6              -17.02
G3              16              30.79
G4              24             -45.74
G5              27              40.68
【０１３７】
（実施例７）
数値実施例７
単位：mm
［面データ］
面番号        r             d             nd            vd          有効径
1          435.7079        1.7500       1.92286         20.88         69.21
2          110.4446        6.9671       1.72916         54.67         64.79
3        -1014.7357        0.1500                                     63.38
4           50.2207        6.9218       1.80420         46.50         55.91
5          110.6828          (d5)                                     54.44
6*         148.5895        1.1500       1.85135         40.10         32.98
7*          16.5481        8.8035                                     24.43
8          -25.9025        0.9000       1.72916         54.67         23.96
9          110.7187        2.2485       1.83481         42.72         23.73
10         787.9398        0.2063                                     23.62
11          76.5824        5.3689       1.80809         22.76         23.53
12         -32.3940        1.0477                                     23.10
13         -24.6264        0.9000       1.88300         40.81         22.53
14         -63.4488         (d14)                                     23.11
15(絞り)            ∞        1.1500                                     25.21
16*         44.1786        4.4842       1.77250         49.46         27.48
17*       -138.0528        0.1500                                     27.66
18         600.4079        2.7972       1.61997         63.88         27.75
19         -75.3482        0.1500                                     27.81
20          90.8001        0.9000       1.85478         24.80         27.43
21          29.7396        7.2646       1.49700         81.61         26.75
22         -59.0326         (d22)                                     26.64
23*        -70.8790        1.0488       1.77250         49.50         24.22
24          34.5938        2.1778       1.80809         22.76         24.28
25          59.7039        1.8784                                     24.33
26          39.1046        1.7354       1.58144         40.89         25.35
27          56.0549         (d27)                                     25.32
28          36.6645        6.6261       1.59282         68.62         25.89
29         -45.8318        0.1500                                     25.98
30         586.0353        4.1293       1.59282         68.62         25.66
31         -33.9252        0.9000       1.91082         35.25         25.50
32          56.8764        2.0300                                     25.73
33*        145.3872        2.4671       1.80610         40.73         26.24
34*       -112.0011          (BF)                                     26.64
像面              ∞
［非球面データ］
6面           7面           16面          17面     
K                 0.0000        0.0000        0.0000        0.0000
A4           1.62430E-05   5.49400E-06  -3.29480E-06   6.76960E-06
A6          -7.16900E-08  -4.99050E-08   8.77070E-09   4.38270E-09
A8           3.65050E-10   1.13600E-10  -1.93300E-11  -1.89730E-11
A10          -9.75260E-13   6.40230E-13  -3.79420E-14  -4.14860E-14
A12           1.17800E-15   9.86320E-16   8.06780E-18   0.00000E+00
23面          33面          34面
K                 0.0000        0.0000        0.0000
A4           5.69180E-06  -7.34470E-06   4.08290E-06
A6          -1.74800E-10  -3.54900E-09   4.47690E-09
A8          -3.37080E-11   8.74420E-11   1.19470E-10
A10           2.71160E-14  -2.79460E-13  -2.98090E-13
A12           0.00000E+00   0.00000E+00   0.00000E+00
［各種データ］
ズーム比              3.31
広角          中間          望遠
焦点距離             24.84         49.99         82.27
Fナンバー              3.30          3.30          3.30
全画角2ω             83.76         46.19         28.68
像高Y               21.63         21.63         21.63
レンズ全長           150.25        165.16        185.25
絞り径              17.46         22.89         25.21
［可変間隔データ］
広角          中間          望遠
d5            3.2121       15.2418       32.3798
d14           18.2692        5.9160        2.0001
d22            2.2563        4.9448        6.7544
d27           11.5034        2.9999        1.5000
BF           38.5566       59.6097       66.1619
［レンズ群データ］
群             始面        焦点距離
G1              1               97.32
G2              6              -15.79
G3              15              28.21
G4              23             -52.75
G5              28              55.25
G4a              23             -42.29
G4b              26             214.34
【０１３８】
また、［条件式対応値］には、各条件式に対応する各実施例の対応値の一覧を示す。
【０１３９】
［条件式対応値］
条件式／実施例          1       2       3       4    
（１）（Ｄ１２ｔ／ｆｔ）×ＦＮＯｔ    1.323   1.346   1.376   1.378 
（２）ｆｔ／ｆ３                      2.264   2.313   2.353   2.207 
（３）ｆｔ／ｆ１                      0.667   0.651   0.657   0.651 
（４）｜ｆｔ／ｆ２｜                  4.189   4.119   4.150   3.897 
（５）ｖｄＮ−ｖｄＰ１               11.952  26.056  17.303   8.824 
（６）ｖｄＰ１−ｖｄＰ２             19.957   2.035  14.606   8.551 
Ｄ１２                         30.541  31.159  34.108  31.893 
ｆｔ                           67.553  67.691  72.490  67.695 
ＦＮＯｔ                        2.927   2.925   2.925   2.925 
ｆ３                           29.836  29.262  30.810  30.672 
ｆ１                          101.330 103.958 110.383 103.921 
ｆ２                          -16.128 -16.436 -17.468 -17.370 
ｖｄＮ                         54.674  50.855  54.674  40.139 
ｖｄＰ１                       42.722  24.799  37.371  31.315 
ｖｄＰ２                       22.764  22.764  22.764  22.764 
条件式／実施例          5       6       7   
（１）（Ｄ１２ｔ／ｆｔ）×ＦＮＯｔ    1.419   1.392   1.299
（２）ｆｔ／ｆ３                      2.142   2.199   2.917
（３）ｆｔ／ｆ１                      0.632   0.648   0.845
（４）｜ｆｔ／ｆ２｜                  3.840   3.977   5.209
（５）ｖｄＮ−ｖｄＰ１                8.824   8.824  11.952
（６）ｖｄＰ１−ｖｄＰ２              8.551   8.551  19.958
Ｄ１２                         32.852  32.219  32.380
ｆｔ                           67.695  67.694  82.268
ＦＮＯｔ                        2.925   2.925   3.300
ｆ３                           31.600  30.785  28.207
ｆ１                          107.151 104.494  97.324
ｆ２                          -17.631 -17.020 -15.793
ｖｄＮ                         40.139  40.139  54.674
ｖｄＰ１                       31.315  31.315  42.722
ｖｄＰ２                       22.764  22.764  22.764
【０１４０】
また、各実施例の収差図において、ｄ、ｇ、Ｃはそれぞれｄ線、ｇ線、Ｃ線を表しており、△Ｓ、△Ｍはそれぞれサジタル像面、メリジオナル像面を表している。
【符号の説明】
【０１４１】
Ｇ１    第１レンズ群
Ｇ２    第２レンズ群
Ｇ３    第３レンズ群
Ｇ４    第４レンズ群
Ｇ５    第５レンズ群
Ｇ４ａ    第４ａレンズ群
Ｇ４ｂ    第４ｂレンズ群
ＬＮ      第２レンズ群Ｇ２に含まれる負の屈折力を有するレンズ
ＬＰ１    第２レンズ群Ｇ２に含まれる正の屈折力を有するレンズ
ＬＰ２    第２レンズ群Ｇ２に含まれる正の屈折力を有するレンズ
【図１】
2017156719.tif 000004
【図２】
2017156719.tif 000005
【図３】
2017156719.tif 000006
【図４】
2017156719.tif 000007
【図５】
2017156719.tif 000008
【図６】
2017156719.tif 000009
【図７】
2017156719.tif 000010
【図８】
2017156719.tif 000011
【図９】
2017156719.tif 000012
【図１０】
2017156719.tif 000013
【図１１】
2017156719.tif 000014
【図１２】
2017156719.tif 000015
【図１３】
2017156719.tif 000016
【図１４】
2017156719.tif 000017
【図１５】
2017156719.tif 000018
【図１６】
2017156719.tif 000019
【図１７】
2017156719.tif 000020
【図１８】
2017156719.tif 000021
【図１９】
2017156719.tif 000022
【図２０】
2017156719.tif 000023
【図２１】
2017156719.tif 000024
【図２２】
2017156719.tif 000025
【図２３】
2017156719.tif 000026
【図２４】
2017156719.tif 000027
【図２５】
2017156719.tif 000028
【図２６】
2017156719.tif 000029
【図２７】
2017156719.tif 000030
【図２８】
2017156719.tif 000031